(57)【要約】【課題】  浴槽外への吸い込み時には、吸引力により内部のフィルターが水路を塞ぎ、良好にゴミを捕獲することができ、また、吸い込み時以外には、浴槽外の残水が良好に浴槽内に排水される吸水口フランジ部材を提供する。【解決手段】  浴槽内壁２の開口１２に固設され、内部に浴槽内外を連通させる水路２０、２０ａが形成されてなる吸水口フランジ部材１４内には、浴槽内の水が浴槽外へ吸い込まれる時に水圧により水路２０ａを塞ぎ、吸い込み時以外では水路２０ａを開放する位置に移動可能な可動フィルター１８が内装され、吸い込み時に浴槽水が可動フィルター１８を通過して浴槽外へ導かれるとともに、吸い込み時以外では浴槽外の残水が水路２０ａ、２０を通って浴槽２内に排水されるように構成する。【選択図】  図４
2006122486.tif 000002
【特許請求の範囲】
【請求項１】
浴槽内壁の開口に固設され、内部に浴槽内外を連通させる水路が形成されてなる吸水口フランジ部材であって、該吸水口フランジ部材内には、浴槽内の水が浴槽外へ吸い込まれる時に水圧により前記水路を塞ぎ、吸い込み時以外には水路を開放する位置に移動可能な可動フィルターが内装され、前記吸い込み時に浴槽内の水が前記可動フィルターを通過して浴槽外へ流れるとともに、吸い込み時以外では浴槽外の残水が前記水路を通って浴槽内に排水されるように構成したことを特徴とする吸水口フランジ部材。
【請求項２】
前記可動フィルターの外周が摺接する吸水口フランジ部材内のガイド面に、前記水路が形成されていることを特徴とする請求項１に記載の吸水口フランジ部材。
【発明の詳細な説明】
【技術分野】
【０００１】
本発明は、浴槽の開口に設けられる吸水口フランジ部材に関するものである。
【背景技術】
【０００２】
従来、特許文献１に開示されているように、浴槽の開口に循環金具が取り付けられて、この循環金具を通し浴槽内の水を洗濯機に吸い込ませて、洗濯機内で浴槽水を再利用できるように構成したものが存在する。
【特許文献１】特開２００３−１０２６３３号公報
【発明の開示】
【発明が解決しようとする課題】
【０００３】
従来の循環金具においては、内部にフィルター等が設けられて水路が塞がれているため、浴槽外の配管内に残った水を良好に浴槽内に排水することが困難であり、残水を排水するためにはフィルターの目を粗くして、残水の排水が可能なように構成することも考えられるが、フィルターの目を粗くすると、逆に浴槽水を洗濯機側へ吸い出す時に細かいゴミを捕獲しづらくなり、洗濯機側へゴミ等が流出してしまうという問題点があった。
【課題を解決するための手段】
【０００４】
本発明は上記従来の問題点に鑑み案出したものであって、浴槽水のゴミを良好に捕獲することができるとともに、浴槽外の経路内の残水を良好に浴槽内に排水することができる吸水口フランジ部材を提供せんとするものであり、その請求項１は、浴槽内壁の開口に固設され、内部に浴槽内外を連通させる水路が形成されてなる吸水口フランジ部材であって、該吸水口フランジ部材内には、浴槽内の水が浴槽外へ吸い込まれる時に水圧により前記水路を塞ぎ、吸い込み時以外には水路を開放する位置に移動可能な可動フィルターが内装され、前記吸い込み時に浴槽内の水が前記可動フィルターを通過して浴槽外へ流れるとともに、吸い込み時以外では浴槽外の残水が前記水路を通って浴槽内に排水されるように構成したことである。
また、請求項２は、前記可動フィルターの外周が摺接する吸水口フランジ部材内のガイド面に、前記水路が形成されていることである。
【発明の効果】
【０００５】
本発明の吸水口フランジ部材は、浴槽内の水が浴槽外へ吸い込まれる時に水圧により水路を塞ぎ、吸い込み時以外には水路を開放する位置に移動可能な可動フィルターが内装されたことにより、浴槽内の水を浴槽外の洗濯機等に吸い込む時には、吸水口フランジ部材内の水路はフィルターで塞がれて、良好にフィルターにより浴槽水のゴミが捕獲されることとなる。
また、吸い込み時以外には、水路を開放する位置にフィルターが移動されるため、浴槽外に残った残水は良好に吸水口フランジ部材の水路を通り浴槽内に排水されることとなり、残水が残らないために、経路内で残水が腐敗することもなく、衛生的に保持することができるものとなる。
【０００６】
また、可動フィルターの外周が摺接する吸水口フランジ部材内のガイド面に水路が形成されていることにより、フィルターが摺接するガイド面に水路が一体化されているため、吸水口フランジ部材の径を小さくしても良好に水路を確保することができ、コンパクトな吸水口フランジ部材にすることができる。
【実施例】
【０００７】
以下、本発明の実施例を図面に基づいて説明する。
図１は、浴室と洗面室の斜視構成図であり、浴室１内に設置されている浴槽２の洗い場３側の立上内壁２ａには吸水口４が固設されており、この吸水口４には、エプロンの内側を通る傾斜状の浴室内配管５が接続されており、浴室内配管５の先端のニップル１６が、図2に示すように、壁パネル１７の外側からの貫通金具６に接合されて、貫通金具６から浴室外配管７が洗面室８の壁面まで立ち上げ状に配管されており、洗面室８内の壁面には浴室外配管７に接続された給水エルボ９が設けられている。
この給水エルボ９に対し、先端に洗濯機接続エルボ１０ａを備えた給水ホース１０を接続して、給水ホース１０を介し洗面室８に設置された洗濯機１１に接続することができ、洗面室８側で給水ホース１０を接続するのみで、洗濯機１１に内蔵したポンプを運転させることで、浴槽２内の残り湯を良好に洗濯機１１内に導入できるように構成されている。
【０００８】
なお、図2に示すように、前記吸水口４は、浴槽の立上内壁２ａに貫通形成された開口１２内に裏表から平パッキン１３，三角パッキン１３ａを介在させてフランジ部材１４が差し込まれ、フランジ部材１４には浴槽の外側から浴室内配管５に接続されたエルボ１５が接続されて、立上内壁２ａにフランジ部材１４が固定されており、このフランジ部材１４内には、スポンジ状のフィルター１８が収納され、カバー１９が螺着されて覆蓋されている。
【０００９】
なお、図３は吸水口４の外観図を示し、図４は吸水口４の断面構成図を示す。
即ち、フランジ部材１４は円筒状に形成されて、浴槽内側には鍔部１４ａが突出されており、この鍔部１４ａの外周に形成された雄ネジに対し、カバー１９の内周に形成された雌ネジを螺合させて、フランジ部材１４にカバー１９を取り付けることができ、フランジ部材１４内にはフィルター１８を収納できる収納空間が形成されている。
【００１０】
なお、図４では、カバー１９を取り外した状態を示している。
フィルター１８には、複数の小孔２１ａ，２１ａを貫通形成した摺動板２１が固設されており、この摺動板２１の外周及びフィルター１８の外周が、フランジ部材１４の内径面を形成するガイド面１４ｂに摺接して、フィルター１８及び摺動板２１はガイド面１４ｂに沿って摺動移動できるように構成されている。
【００１１】
また、ガイド面１４ｂの外周側には、図５の平面図で示すように、左右に２個の水路２０，２０がガイド面１４ｂと平行状に浴槽内側に開口されて形成されており、それぞれの水路２０の先端はフランジ部材１４の内部において直角に曲げられて直角水路２０ａを形成しており、この直角水路２０ａがガイド面１４ｂを貫通して、フランジ部材１４の内側に開口されている。また、フランジ部材１４の浴槽外側には複数の貫通孔１４ｄ，１４ｄを形成した底部１４ｃが一体化されている。
【００１２】
本例では、フランジ部材１４の底部１４ｃとフィルター１８の摺動板２１間にバネ２２が設けられており、このバネ２２の付勢力により、常には図４に示すように、直角水路２０ａの浴槽内側にフィルター１８及び摺動板２１が位置して、直角水路２０ａは開放された状態となっている。
従って、この図4の状態では、浴室内配管５内の残水は、浴室内配管５の傾斜に沿ってエルボ１５を通り、フランジ部材１４の貫通孔１４ｄからフランジ部材１４内に入り、直角水路２０ａから水路２０を通って浴槽２内に排水されることとなり、残水が浴室内配管５に残ることがないため、残水が腐敗することがなく、雑菌の繁殖等がなくなり、衛生的に保持できるものとなる。
【００１３】
一方、洗濯機１１内のポンプを作動させて、浴槽２内の水を洗濯機１１内に吸い込ませて再利用する場合には、洗濯機１１のポンプの吸引力により、浴槽水がフランジ部材１４の水路２０に吸い込まれる時に水圧が作用すると、この水圧がバネ２２の付勢力に勝り、水圧によりフィルター１８及び摺動板２１はガイド面１４ｂに沿って浴槽外方向へ移動して、フィルター１８が直角水路２０ａを塞ぐ位置に移動され、図6の状態となる。
【００１４】
この図6の状態では、浴槽水が水路２０から全てフィルター１８を通過して、摺動板２１の小孔２１ａから吐き出されて、さらにフランジ部材１４の底部１４ｃの貫通孔１４ｄ，１４ｄを通り、エルボ５を通って浴室内配管５を通り、浴室外配管７及び吸水ホース１０を通って洗濯機１１内に導入されることとなり、この場合は、浴槽水の全てがフィルター１８を通過するため、フィルター１８により、良好に浴槽水内のゴミが捕獲されて、ゴミが洗濯機１１内に入り込むことがない。
【００１５】
なお、図7，図８，図９は、変更例を示すものである。
変更例においては、フランジ部材１４のガイド面１４ｂに水路２０が一体状に形成されたものである。
即ち、図8の平面図で示すように、ガイド面１４ｂから略半円状に外側へ凹ませて、所定間隔で複数の水路２０，２０，２０が一体形成されており、この複数の水路２０，２０，２０が形成されたガイド面１４ｂに、フィルター１８及び摺動板２１の外周が摺接して、ガイド面１４ｂに沿ってフィルター１８及び摺動板２１が摺動移動できるように構成されている。
その他の構成は、前記図４，図5，図6で示すものとほぼ同一である。
【００１６】
図7は、吸い込み時以外の通常状態を示すものであり、この状態では、バネ２２の付勢力により摺動板２１及びフィルター１８は浴槽内側に向かって付勢されており、各水路２０の下流端の直角水路２０ａは開放された状態となっており、浴室内配管５内の残水は良好に底部の貫通孔１４ｄからフランジ部材１４内に入り込んで、直角水路２０ａから水路２０を通り浴槽２内に排水されるものであり、残水の排水がスムーズに行なわれ、確実に残水をなくして衛生的に保持できるものである。
【００１７】
なお、洗濯機１１が作動されて、洗濯機１１のポンプにより浴槽２内の浴槽水を吸い込ませる場合には、水圧が作用して、バネ２２の付勢力よりも水圧が勝り、これにより摺動板２１及びフィルター１８は図9の位置まで移動して、フィルター１８が各水路２０の直角水路２０ａを塞ぐこととなり、この状態では、各水路２０を通りフランジ部材１４内に吸い込まれる浴槽水は、全てフィルター１８を通って良好にゴミが除去され、ゴミのない浴槽水が良好に洗濯機１１内に導入されて再利用されるものである。
【図面の簡単な説明】
【００１８】
【図１】浴室と洗面室の斜視構成図である。
【図２】浴槽に取り付けられる吸水口の構成部材の分解斜視図である。
【図３】吸水口の外観側面図である。
【図４】吸水口を浴槽の開口に取り付け固定し、内部に可動式のフィルターを収納させた状態の半断面斜視構成図である。
【図５】図4のフランジ部材の鍔部側から見た平面構成図である。
【図６】吸い込み時にフランジ部材内でフィルターが移動した状態の半断面斜視構成図である。
【図７】変更例を示すフランジ部材の、吸い込み時以外の状態における縦断面斜視構成図である。
【図８】図7のフランジ部材の平面構成図である。
【図９】変更例における吸い込み時にフィルターが移動した状態を示す縦断面斜視構成図である。
【符号の説明】
【００１９】
１  浴室
２  浴槽
２ａ  立上内壁
３  洗い場
４  吸水口
５  浴室内配管
６  貫通金具
７  浴室外配管
８  洗面室
９  給水エルボ
１０  給水ホース
１１  洗濯機
１２  開口
１３  平パッキン
１３ａ  三角パッキン
１４  フランジ部材
１４ａ  鍔部
１４ｂ  ガイド面
１４ｃ  底部
１４ｄ  貫通孔
２０  水路
２０ａ  直角水路
２１  摺動板
２１ａ  小孔
２２  バネ
【図１】
2006122486.tif 000003
【図２】
2006122486.tif 000004
【図３】
2006122486.tif 000005
【図４】
2006122486.tif 000006
【図５】
2006122486.tif 000007
【図６】
2006122486.tif 000008
【図７】
2006122486.tif 000009
【図８】
2006122486.tif 000010
【図９】
2006122486.tif 000011